(57)【要約】【課題】専有床面積の増大を抑制しながら２個のブーツを立てた状態で保持することができるとともに、保持するブーツの履き口の高さに合わせて挟持片を移動させる調整作業を容易に行うことができるブーツスタンドを提供する。【解決手段】１本のスタンド支柱２に取り付けられた、ブーツ底を載せる２個のブーツ受け５，６にブーツを立てた状態で載せた際に、該ブーツの左右の履き口を挟持する挟持片１３，１４を有する２個の挟持体１１，１２、並びに、スタンド支柱２に対する挟持体１１，１２及びブーツ受け６の上下方向位置を変更可能にする、スタンド支柱２に外嵌された弾性リング１６，１８，１７を有する位置変更手段Ｓ１，Ｓ３，Ｓ２を備えた。スタンド支柱２に対して弾性リングの位置を変えることにより保持するブーツの履き口の高さに合わせて挟持片１３，１４を移動させる調整作業を容易に行うことができる。【選択図】図１
2010162205.tif 000002
【特許請求の範囲】
【請求項１】
脱いだブーツを立てた状態で保持するブーツスタンドであって、
スタンド支柱に取り付けられた、ブーツ底が載せられる上下方向複数のブーツ受けと、
これらブーツ受けにブーツを立てた状態で載せた際に、該ブーツの左右の履き口を挟持する挟持片を有する上下複数の挟持体と、
最下段のブーツ受けに対応する最下段の挟持体を前記スタンド支柱に対して上下方向にスライドさせて上下方向の位置を変更可能にする位置変更手段と、
最下段のブーツ受けよりも上段のブーツ受け及びこのブーツ受けに対応する挟持体の少なくともどちらかを前記スタンド支柱に対して上下方向にスライドさせて上下方向の位置を変更可能にする位置変更手段と、
を備えたことを特徴とするブーツスタンド。
【請求項２】
脱いだブーツを立てた状態で保持するブーツスタンドであって、
スタンド支柱に取り付けられた、ブーツ底が載せられる上下方向単又は複数のブーツ受けと、
地面又は床面上にブーツを立てた状態で置いた際、及び、このブーツよりも上側のブーツ受けにブーツを立てた状態で載せた際に、これらブーツの左右の履き口を挟持する挟持片を有する上下複数の挟持体と、
地面又は床面上に立てられたブーツに対応する挟持体を前記スタンド支柱に対して上下方向にスライドさせて上下方向の位置を変更可能にする位置変更手段と、
地面又は床面上に立てられたブーツよりも上側のブーツ受け及びこのブーツ受けに対応する挟持体の少なくともどちらかを前記スタンド支柱に対して上下方向にスライドさせて上下方向の位置を変更可能にする位置変更手段と、
を備えたことを特徴とするブーツスタンド。
【請求項３】
前記最下段のブーツ受け上又は地上若しくは床面上に立てた状態で置かれた複数のブーツに対して、これらブーツの左右の履き口を挟持する挟持片を有する複数の挟持体と、これら挟持体を上下方向にスライドさせて上下方向の位置を変更可能にする複数の位置変更手段とを備えてなる請求項１又は２記載のブーツスタンド。
【請求項４】
前記位置変更手段が、前記スタンド支柱に外嵌する筒体、及び、該筒体の下端面を当止するように前記スタンド支柱に外嵌された弾性リング、又は、前記挟持体が固定された上側支柱の下部を管状の下側支柱に内挿したスタンド支柱、及び、前記下側支柱の上端面により当止される、前記上側支柱に外嵌された弾性リングである請求項１〜３のいずれかに記載のブーツスタンド。
【発明の詳細な説明】
【技術分野】
【０００１】
本発明は、脱いだブーツの型崩れや皺の発生を防止するためにブーツを立てた状態で保持するブーツスタンドに関するものである。
【背景技術】
【０００２】
脱いだブーツを保管する際における型崩れや皺の発生を防止するために、一足のブーツを立てた状態で保持するブーツスタンドとして、ブーツが載置される基台に長さ調節自在の支柱を立設し、この支柱の上端部に取り付けた挟持部材によりブーツの履き口を挟持するものであり、前記支柱を、基台に立設する支持バーと、支持バーの上端に連結固定される支持パイプと、支持パイプに挿通するスライドバーとにより構成し、スライドバーを支持パイプ内に固定する調節ねじを支持パイプの上端部に設けるとともに、スライドバーの上端部に挟持部材を取り付けてなるものがある（例えば、特許文献１参照。）。
【０００３】
【特許文献１】登録実用新案第３１１０８２２号公報（図１−２）
【発明の開示】
【発明が解決しようとする課題】
【０００４】
近年、ロングブーツ及びハーフブーツ等の長さ並びに材質、色及びデザイン等の異なる多数のブーツを個人で所有している人、特に女性が増加している。
したがって、従来の一足のブーツを立てた状態で保持するブーツスタンドを使用すると、多数のブーツスタンドが玄関等に並置されることになり、ブーツスタンドが専有する床面積が増大してしまうという問題がある。
【０００５】
また、脱いだブーツを特許文献１のようなブーツスタンドにより保持する際には、ブーツスタンドの横に前記ブーツの左右の一方を置いた状態とし、その履き口の高さに挟持部材の高さを合わせるようにスライドバーを上下に摺動させ、横に置いた前記ブーツを退かしてから、支持パイプの調節ねじをねじ込んでスライドバーを支持パイプ内に固定し、前記ブーツの左右両足のそれぞれの履き口をスライドバーの挟持部材に差し込むとともに、前記ブーツのブーツ底を基台に載せるようにする必要がある。
したがって、保持するブーツに合わせて行う前記調節ねじの緊緩作業等、挟持部材の高さ調整作業が煩雑であるという問題がある。
【０００６】
そこで本発明が前述の状況に鑑み、解決しようとするところは、専有床面積の増大を抑制しながら複数のブーツを立てた状態で保持することができるとともに、保持するブーツの履き口の高さに合わせて挟持部材を移動させる調整作業を容易に行うことができるブーツスタンドを提供する点にある。
【課題を解決するための手段】
【０００７】
本発明に係るブーツスタンドは、前記課題解決のために、脱いだブーツを立てた状態で保持するブーツスタンドであって、スタンド支柱に取り付けられた、ブーツ底が載せられる上下方向複数のブーツ受けと、これらブーツ受けにブーツを立てた状態で載せた際に、該ブーツの左右の履き口を挟持する挟持片を有する上下複数の挟持体と、最下段のブーツ受けに対応する最下段の挟持体を前記スタンド支柱に対して上下方向にスライドさせて上下方向の位置を変更可能にする位置変更手段と、最下段のブーツ受けよりも上段のブーツ受け及びこのブーツ受けに対応する挟持体の少なくともどちらかを前記スタンド支柱に対して上下方向にスライドさせて上下方向の位置を変更可能にする位置変更手段とを備えたものである。
【０００８】
また、本発明に係るブーツスタンドは、前記課題解決のために、脱いだブーツを立てた状態で保持するブーツスタンドであって、スタンド支柱に取り付けられた、ブーツ底が載せられる上下方向単又は複数のブーツ受けと、地面又は床面上にブーツを立てた状態で置いた際、及び、このブーツよりも上側のブーツ受けにブーツを立てた状態で載せた際に、これらブーツの左右の履き口を挟持する挟持片を有する上下複数の挟持体と、地面又は床面上に立てられたブーツに対応する挟持体を前記スタンド支柱に対して上下方向にスライドさせて上下方向の位置を変更可能にする位置変更手段と、地面又は床面上に立てられたブーツよりも上側のブーツ受け及びこのブーツ受けに対応する挟持体の少なくともどちらかを前記スタンド支柱に対して上下方向にスライドさせて上下方向の位置を変更可能にする位置変更手段とを備えたものである。
【０００９】
ここで、前記最下段のブーツ受け上又は地上若しくは床面上に立てた状態で置かれた複数のブーツに対して、これらブーツの左右の履き口を挟持する挟持片を有する複数の挟持体と、これら挟持体を上下方向にスライドさせて上下方向の位置を変更可能にする複数の位置変更手段とを備えてなると好ましい。
【００１０】
また、前記位置変更手段が、前記スタンド支柱に外嵌する筒体、及び、該筒体の下端面を当止するように前記スタンド支柱に外嵌された弾性リング、又は、前記挟持体が固定された上側支柱の下部を管状の下側支柱に内挿したスタンド支柱、及び、前記下側支柱の上端面により当止される、前記上側支柱に外嵌された弾性リングであると好ましい。
【発明の効果】
【００１１】
本発明に係るブーツスタンドによれば、１本のスタンド支柱に対して上下方向に離間した複数のブーツをそれぞれ立てた状態で、これらブーツの履き口が挟持体の挟持片により挟持されることから、これらブーツを立てた状態が保持されるため、脱いだブーツの型崩れや皺の発生を防止することができるとともに、複数のブーツを上下多段に保持することができるため、複数のブーツを保持しながら、ブーツスタンドが専有する床面積が増大することがない。
【００１２】
その上、位置変更手段により、最下段のブーツの上側のブーツ受け及びこのブーツ受けに対応する挟持体の両方の位置を変更可能とすれば、最下段のブーツの履き口の高さに合わせて調整された最下段の挟持体に対して、その上段のブーツ受けの位置を位置変更手段によりなるべく低い位置に変更し、このブーツ受けに対して、保持するブーツの履き口の高さに合わせて挟持体の位置を位置変更手段により変更して上段のブーツを保持することができることから、上下多段に保持されたブーツの間隔を小さくすることができるため、ブーツスタンドが設置される床面積のみならず、その高さ方向のスペースも有効活用することができる。
【００１３】
また、前記最下段のブーツ受け上又は地上若しくは床面上に立てた状態で置かれた複数のブーツに対して、これらブーツの左右の履き口を挟持する挟持片を有する複数の挟持体と、これら挟持体を上下方向にスライドさせて上下方向の位置を変更可能にする複数の位置変更手段とを備えてなると、前記効果に加え、最下段に複数のブーツを立てた状態で置くことができるため、１本のスタンド支柱により、さらに多くの立てた状態のブーツを保持することができる。
【００１４】
さらに、前記位置変更手段が、前記スタンド支柱に外嵌する筒体、及び、該筒体の下端面を当止するように前記スタンド支柱に外嵌された弾性リング、又は、前記挟持体が固定された上側支柱の下部を管状の下側支柱に内挿したスタンド支柱、及び、前記下側支柱の上端面により当止される、前記上側支柱に外嵌された弾性リングであると、前記効果に加え、弾性リングはそれを外嵌した支柱に対して極めて容易に移動させることができるため、このような容易に行うことができる操作により弾性リングを所要位置まで移動させることにより、保持するブーツの履き口の高さに合わせて挟持片（挟持体）を移動させる調整作業を容易に行うことができる。
【発明を実施するための最良の形態】
【００１５】
次に、本発明の実施の形態を添付図面に基づいて説明するが、本発明は、添付図面に示された形態に限定されず特許請求の範囲に記載の要件を満たす実施形態の全てを含むものである。
実施の形態１．
図１は本発明の実施の形態１に係るブーツスタンド１の斜視図、図２は同じく正面図、図３は位置変更手段Ｓ１〜Ｓ３の説明用要部拡大正面図、図４は下側のブーツ受け５上にロングブーツＡ１を、上側のブーツ受け６上にハーフブーツＡ２を保持した状態を示す斜視図、図５は下側のブーツ受け５上にのみロングブーツＡ１を保持した状態を示す斜視図である。
【００１６】
図１及び図２に示すように、本発明の実施の形態１に係るブーツスタンド１は、スタンド支柱２、スタンド支柱２の下端が固定された平面視円形状（円盤状）の支持ベースである下側のブーツ受け５、スタンド支柱２に取り付けられた平面視略エ字状の上側のブーツ受け６、これらブーツ受け５，６にブーツを立てた状態で載せた際に、該ブーツの左右の履き口を挟持する挟持片１３，１４を有する下側の挟持体１１及び上側の挟持体１２、並びに、スタンド支柱２の上端に取り付けられた、操作片であるとともに装飾部材でもある摘み１０等からなり、下側の挟持体１１、上側のブーツ受け６及び上側の挟持体１２のスタンド支柱２（下側支柱３）に対する上下方向の位置を変更するための後述する位置変更手段Ｓ１，Ｓ２，Ｓ３を備えている。
なお、支持ベースの形状及び大きさ並びに挟持体１１の構成等によっては、支持ベースである下側のブーツ受け５上にブーツＡ１を載せないようにし、すなわち支持ベースをブーツ受けとせずに、地面又は床面ＦＬ（図２参照。）上にブーツＡ１を立てた状態で置くように構成してもよい。
【００１７】
スタンド支柱２は、管状の下側支柱３の上側から上側支柱４の下部を内挿してなり、上側支柱４に外嵌されてその上下方向の位置が定まるように弾性変形した状態の弾性リング１８が下側支柱３の上端面３Ａにより当止されることにより、下側支柱３に対して上側支柱４が位置決めされた状態で保持される。
下側の挟持体１１は、下側支柱３に外嵌されて上下方向にスライド可能な筒体１５に挟持片１３が例えば溶着により固定されており、筒体１５の下端面１５Ａが、下側支柱３に外嵌されてその上下方向の位置が定まるように弾性変形した状態の弾性リング１６により当止される。
上側の挟持体１２は、上側支柱４の側面に挟持片１４を例えば溶着により直接固定して構成されるが、挟持片１４が固定された連結体を上側支柱に固定してもよい。
【００１８】
上側のブーツ受け６は、挟持体１１の上側で下側支柱３に外嵌されて上下方向にスライド可能な筒体７により、略前後方向に延びる連結アーム９Ａ，９Ｂ及びこれらの先端に中央部が固定されて略左右方向に延びる、ブーツが載置される前後の載置アーム８Ａ，８Ｂを支持するとともに、筒体７の下端面７Ａが、下側支柱３に外嵌されてその上下方向の位置が定まるように弾性変形した状態の弾性リング１７により当止される。
ここで、前後の載置アーム８Ａ，８Ｂの高さは、例えば図４に示すように、ヒールＨを載置アーム８Ｂの後側から垂下させ、前後の載置アーム８Ａ及び８Ｂ上にブーツＡ２のブーツ底Ｂを載せた際に、ブーツＡ２が直立するように、前側の載置アーム８Ａよりも後側の載置アーム８Ｂの高さを高くしている。
なお、上述の弾性リング１６，１７，１８は、例えばシリコーンゴム、ウレタンゴム、アクリロニトリルブタジエンゴム又はふっ素ゴム等のゴムを円環状に成形したものである。
【００１９】
次に、位置変更手段Ｓ１，Ｓ２，Ｓ３について説明する。
図３に示すように、下側のブーツ受け５に対応する下側の挟持体１１をスタンド支柱２（下側支柱３）に対して上下方向にスライドさせて位置を変更可能にする位置変更手段Ｓ１は、下側支柱３に外嵌する筒体１５及び該筒体１５の下端面１５Ａを当止するように下側支柱３に外嵌された弾性リング１６により構成される。
また、上側のブーツ受け６をスタンド支柱２（下側支柱３）に対して上下方向にスライドさせて位置を変更可能にする位置変更手段Ｓ２は、下側支柱３に外嵌する筒体７、及び、該筒体７の下端面７Ａを当止するように下側支柱３に外嵌された弾性リング１７により構成される。
【００２０】
さらに、上側のブーツ受け６に対応する上側の挟持体１２をスタンド支柱２（下側支柱３）に対して上下方向にスライドさせて位置を変更可能にする位置変更手段Ｓ３は、挟持体１２が固定された上側支柱４の下部を管状の下側支柱３に内挿したスタンド支柱２、及び、下側支柱３の上端面３Ａにより当止される、上側支柱４に外嵌された弾性リング１８により構成される。
ここで、図３の矢印Ｌ１，Ｌ２，Ｌ３に示すように、上述の弾性リング１６，１７，１８は、それが外嵌されたスタンド支柱２（下側支柱３又は上側支柱４）に対して極めて容易に移動させることができるものであるため、弾性リング１６，１７，１８を移動させることにより、挟持体１１、上側のブーツ受け６、挟持体１２を容易に移動させることができる。
【００２１】
次に、ブーツスタンド１によりブーツを立てた状態のまま保持させる手順を、図４に示す、下側のブーツ受け５上にロングブーツＡ１を、上側のブーツ受け６上にハーフブーツＡ２を保持させる場合の例について説明する。
図１及び図２のブーツスタンド１において、位置変更手段Ｓ１である筒体１５及び筒体１５の下面１５Ａに当止した状態の弾性リング１６を、図５の下側のブーツ受け５上にブーツ底Ｂ及びヒールＨを載せるようにして立てたロングブーツＡ１の履き口Ｐの高さよりも挟持片１３を上側に位置させた状態とし、この状態から筒体１５又は弾性リング１６を押し下げて該筒体１５及び弾性リング１６を下方へ移動させ、挟持片１３がロングブーツＡ１の履き口Ｐを挟持する位置まで移動させることにより、図５に示すように下側のブーツ受け５上にロングブーツＡ１を立てた状態のまま保持させることができる。
【００２２】
次に、例えば図５の状態で、位置変更手段Ｓ３である、挟持体１２が固定された上側支柱４の下部を管状の下側支柱３に内挿したスタンド支柱２、及び、下側支柱３の上端面３Ａにより当止される、上側支柱４に外嵌された弾性リング１８において、上側のブーツ受け６上に立てたハーフブーツＡ２の履き口Ｐの高さよりも挟持片１４を上側に位置させた状態とし、この状態から摘み１０を操作して上側支柱４を押し下げながら、挟持片１４がハーフブーツＡ２の履き口Ｐを挟持する位置まで上側支柱４を移動させ、下側支柱３の上端面３Ａにより当止された弾性リング１８の上側支柱４に対する位置（上側支柱４に外嵌された弾性リング１８の上側支柱４に対する相対位置）を変更することにより、図４に示すように上側のブーツ受け６上にハーフブーツＡ２を立てた状態のまま保持させることができる。
なお、下側のブーツ受け５上にハーフブーツ等を載置して保持してもよいし、上側のブーツ受け６上にロングブーツ等を載置して保持してもよく、ブーツ受け５，６に載置して立てた状態のまま保持するブーツは、その種類が限定されるものではなく、どのようなブーツであってもよい。
【００２３】
ここで、上側のブーツ受け６も、位置変更手段Ｓ２である、下側支柱３に外嵌する筒体７、及び、該筒体７の下端面７Ａを当止するように下側支柱３に外嵌された弾性リング１７により、スタンド支柱２（下側支柱３）に対して上下方向にスライドさせて位置を変更することができるため、例えば図４において、下側のロングブーツＡ１の履き口Ｐを挟持する挟持片１３（挟持体１１）に対して、上側のブーツ受け６の位置を近づけるように、上側のブーツ受け６の位置をなるべく低い位置にすることができる。そして、このようになるべく低い位置にした上側のブーツ受け６に上側のハーフブーツＡ２を載置した後、上述のように挟持片１４により履き口Ｐを挟持することにより、ハーフブーツＡ２を立てた状態のまま保持させることができる。
【００２４】
実施の形態２．
図６は本発明の実施の形態２に係るブーツスタンド１の斜視図、図７は下側のブーツ受け５上にロングブーツＡ１を、上側のブーツ受け６上にハーフブーツＡ２を保持した状態を示す斜視図、図８は下側のブーツ受け５上にのみロングブーツＡ１を保持した状態を示す斜視図であり、実施の形態１の図１〜図５と同一符号は同一又は相当部分を示しているため、以下において実施の形態１と同一符号についての説明は省略する。
【００２５】
実施の形態２のブーツスタンド１は、実施の形態１のブーツスタンド１に対して上側のブーツ受け６の構成のみが異なっており、図６に示すように、上側のブーツ受け６は、下側支柱３に外嵌する筒体１９及び筒体１９によりその中央部が支持された平面視矩形状の水平受け板２０により構成され、水平受け板２０上にブーツ底Ｂ及びヒールＨを載せるようにして使用するものであり、位置変更手段Ｓ２は、筒体１９及び該筒体１９の下端面を当止するように下側支柱３に外嵌された図示しない弾性リングにより構成される。
【００２６】
実施の形態２のブーツスタンド１も、実施の形態１のブーツスタンド１と同様に位置変更手段Ｓ１，Ｓ２，Ｓ３があるため、実施の形態１と同様の機能を有するものである。
すなわち、実施の形態１において説明した手順と同様にして、図８に示すように下側のブーツ受け５上に例えばロングブーツＡ１を立てた状態のまま保持させた後、さらにその上に、図７に示すように上側のブーツ受け６上に例えばハーフブーツＡ２を立てた状態のまま保持させることができる。
【００２７】
以上の説明において、支持ベースである下側のブーツ受け５の形状は、あるいは、ブーツ受けとしない支持ベースの形状は、実施の形態１及び２のような平面視円形状に限定されるものではなく、平面視矩形状、平面視多角形状、平面視楕円状等他の形状であってもよい。
また、上側のブーツ受け６の形状も、実施の形態１のような平面視略エ字状又は実施の形態２のような平面視矩形状に限定されるものではなく、平面視円形状、平面視多角形状、平面視楕円状等他の形状であってもよい。
【００２８】
以上の実施の形態１及び２のブーツスタンド１の構成によれば、１本のスタンド支柱２に取り付けられた２個のブーツ受け５，６に載せられたブーツ（例えば、図４及び図７のＡ１，Ａ２）を立てた状態で、位置変更手段Ｓ１によりブーツ受け５に対する相対位置が調整された挟持体１１の挟持片１３がブーツ（例えば、図４及び図７のＡ１）の履き口Ｐを挟持し、位置変更手段Ｓ３によりブーツ受け６に対する相対位置が調整された挟持体１２の挟持片１４がブーツ（例えば、図４及び図７のＡ２）の履き口Ｐを挟持することから、上下のブーツを立てた状態が保持されるため、これらブーツの型崩れや皺の発生を防止することができるとともに、２個のブーツを上下２段に保持することができるため、２個のブーツを保持しながら、ブーツスタンド１が専有する床面積が増大することがない。
【００２９】
その上、下側の挟持体１１に対して、位置変更手段Ｓ２により上側のブーツ受け６の位置をなるべく低い位置に変更し、上側のブーツ受け６に対して、保持するブーツ（例えば、図４及び図７のＡ２）の履き口Ｐの高さに合わせて上側の挟持体１２の位置を位置変更手段Ｓ３により変更して上側のブーツを保持することができることから、上下２段に保持されたブーツの間隔を小さくすることができるため、ブーツスタンド１が設置される床面積のみならず、その高さ方向のスペースも有効活用することができる。
【００３０】
また、位置変更手段Ｓ１，Ｓ３が、上述の弾性リング１６，１８を用いた簡素な構成であり、これらの弾性リング１６，１８はそれを外嵌したスタンド支柱２（下側支柱３又は上側支柱４）に対して極めて容易に移動させることができるため、このような容易に行うことができる操作により弾性リング１６，１８を所要位置まで移動させることにより、保持するブーツの履き口Ｐの高さに合わせて挟持片１３，１４（挟持体１１，１２）を移動させる調整作業を容易に行うことができる。
このような保持するブーツの履き口Ｐの高さに合わせて挟持片１３，１４（挟持体１１，１２）を移動させる調整作業の容易化は、本発明のような複数のブーツを立てた状態で１本の支柱に保持する構成において、その効果がより大きいものである。
【００３１】
さらに、位置変更手段Ｓ２が、上述の弾性リング１７を用いた簡素な構成であり、この弾性リング１７はそれを外嵌したスタンド支柱２（下側支柱３）に対して極めて容易に移動させることができるため、このような容易に行うことができる操作により弾性リング１７を所要位置まで移動させることにより、上側のブーツ受け６の位置をなるべく低い位置に変更して上下２段に保持されたブーツの間隔を小さくする上述の作業を容易に行うことができる。
【００３２】
以上の説明においては、上側のブーツ受け６及び該ブーツ受け６に対応する上側の挟持体１２のスタンド支柱２に対する上下方向位置を位置変更手段Ｓ２及びＳ３により変更することができる場合を示したが、位置変更手段をＳ２及びＳ３の一方のみとし、上側のブーツ受け６及び上側の挟持体１２の一方のみについて、そのスタンド支柱２に対する上下方向位置を変更する構成としてもよい。
また、下側のブーツ受け５をスタンド支柱２の下端が固定された平面視円形状（円盤状）の支持ベースにより兼用する構成を示したが、下側のブーツ受け５を前記支持ベースと別体としてもよい。
さらに、スタンド支柱２が下側支柱３及び上側支柱４により構成される場合を示したが、スタンド支柱２を一体の支柱として、全ての位置変更手段を一体の支柱に外嵌する筒体及び該筒体の下面に当止する弾性リングにより構成してもよい。
さらにまた、１本のスタンド支柱に２個のブーツを上下２段に保持することができる構成を示したが、１本のスタンド支柱に対して３段以上のブーツ受け及び該ブーツ受けに対応する挟持体を取り付けて３個以上のブーツを保持するようにしてもよい。
【００３３】
実施の形態３．
図９は本発明の実施の形態３に係るブーツスタンド１の斜視図、図１０は下側のブーツ受け５上にハーフブーツＡ３並びにロングブーツＡ４及びＡ５を、上側のブーツ受け６上にハーフブーツＡ２を保持した状態を示す斜視図であり、実施の形態１の図１〜図５と同一符号は同一又は相当部分を示しているため、以下において実施の形態１と同一符号についての説明は省略する。
【００３４】
実施の形態３のブーツスタンド１は、図９及び図１０に示すように、実施の形態１のブーツスタンド１に対して、下側のブーツ受け５上に載置するブーツを三足とし、すなわち、例えばハーフブーツＡ３並びにロングブーツＡ４及びＡ５の左右の履き口Ｐ，…を挟持する挟持片２３Ａ，２３Ｂ，２３Ｃを有する挟持体２１Ａ，２１Ｂ，２１Ｃを備えるとともに、これら挟持体２１Ａ，２１Ｂ，２１Ｃを上下方向にスライドさせて上下方向の位置を変更可能にする位置変更手段Ｓ１Ａ，Ｓ１Ｂ，Ｓ１Ｃを備えている。
【００３５】
図９に示すように、３個の挟持体２１Ａ，２１Ｂ，２１Ｃは、それぞれ下側支柱３に外嵌されて上下方向にスライド可能な筒体２５，２６，２７から横方向に延びるアーム２２Ａ，２２Ｂ，２２Ｃの先端に挟持片２３Ａ，２３Ｂ，２３Ｃが例えば溶着により固定されており、筒体２５，２６，２７の下端面２５Ａ，２６Ａ，２７Ａが、それぞれ下側支柱３に外嵌されてその上下方向の位置が定まるように弾性変形した状態の弾性リング２８，２９，３０により当止される。
【００３６】
また、挟持片２３Ａ，２３Ｂ，２３Ｃをスタンド支柱２（下側支柱３）に対して上下方向にスライドさせて位置を変更可能にする位置変更手段Ｓ１Ａ，Ｓ１Ｂ，Ｓ１Ｃは、それぞれ、下側支柱３に外嵌する筒体２５及び該筒体２５の下端面２５Ａを当止するように下側支柱３に外嵌された弾性リング２８、下側支柱３に外嵌する筒体２６及び該筒体２６の下端面２６Ａを当止するように下側支柱３に外嵌された弾性リング２９、並びに、下側支柱３に外嵌する筒体２７及び該筒体２７の下端面２７Ａを当止するように下側支柱３に外嵌された弾性リング３０により構成される。
なお、位置変更手段Ｓ１Ａ，Ｓ１Ｂ，Ｓ１Ｃは、実施の形態１の位置変更手段Ｓ１（筒体１５及び該筒体１５の下端面１５Ａを当止するように下側支柱３に外嵌された弾性リング１６）と同様の機能を有するため、上述の位置変更手段Ｓ１と同様に、スタンド支柱２（下側支柱３）に対して極めて容易に移動させることができる。
【００３７】
以上の実施の形態３のブーツスタンド１の構成によれば、実施の形態１及び２のブーツスタンド１に対して、最下段に三足のブーツ（例えば、図１０のＡ３，Ａ４，Ａ５）を立てた状態で、各ブーツの履き口Ｐ，…の高さに合わせて位置変更手段Ｓ１Ａ，Ｓ１Ｂ，Ｓ１Ｃにより高さが調整された、挟持体２１Ａ，２１Ｂ，２１Ｃの挟持片２３Ａ，２３Ｂ，２３Ｃが三足のブーツの履き口Ｐ，…を挟持することから、最下段に三足のブーツを立てた状態で例えば放射状に置き、この状態が保持されるため、これらブーツの型崩れや皺の発生を防止することができる。
よって、実施の形態１及び２のブーツスタンド１に対して、１本のスタンド支柱２により、さらに多くの立てた状態のブーツを保持することができる。
【００３８】
以上の実施の形態３の説明では、図１０に示すように、最下段に高さの異なる三足のブーツＡ３，Ａ４，Ａ５を置く構成を示したが、３個の挟持体２１Ａ，２１Ｂ，２１Ｃのアーム２２Ａ，２２Ｂ，２２Ｃの形状を異なるものとすることにより、高さの同じ三足のブーツを置くことができる。
また、３個の挟持片２３Ａ，２３Ｂ，２３Ｃにより、最下段に三足のブーツを置く場合を説明したが、２個又は４個以上の挟持片により、最下段に二足又は四足以上のブーツを置くようにしてもよい。
さらに、実施の形態３においても、支持ベースをブーツ受けとせずに、地面又は床面上にブーツを立てた状態で置くように構成してもよい。
【図面の簡単な説明】
【００３９】
【図１】本発明の実施の形態１に係るブーツスタンドの斜視図である。
【図２】同じく正面図である。
【図３】位置変更手段の説明用要部拡大正面図である。
【図４】上下のブーツ受け上にブーツを保持した状態を示す斜視図である。
【図５】下側のブーツ受け上にのみブーツを保持した状態を示す斜視図である。
【図６】本発明の実施の形態２に係るブーツスタンドの斜視図である。
【図７】上下のブーツ受け上にブーツを保持した状態を示す斜視図である。
【図８】下側のブーツ受け上にのみブーツを保持した状態を示す斜視図である。
【図９】本発明の実施の形態３に係るブーツスタンドの斜視図である。
【図１０】上下のブーツ受け上にブーツを保持した状態を示す斜視図である。
【符号の説明】
【００４０】
Ａ１，Ａ２，Ａ３，Ａ４，Ａ５  ブーツ
ＦＬ  床面
Ｐ  履き口
Ｓ１，Ｓ２，Ｓ３，Ｓ１Ａ，Ｓ１Ｂ，Ｓ１Ｃ  位置変更手段
１  ブーツスタンド
２  スタンド支柱
３  下側支柱
３Ａ  上端面
４  上側支柱
５，６  ブーツ受け
７  筒体
７Ａ  下端面
８Ａ，８Ｂ  載置アーム
９Ａ，９Ｂ  連結アーム
１０  摘み
１１，１２  挟持体
１３，１４  挟持片
１５  筒体
１５Ａ  下端面
１６，１７，１８  弾性リング
１９  筒体
２０  水平受け板
２１Ａ，２１Ｂ，２１Ｃ  挟持体
２２Ａ，２２Ｂ，２２Ｃ  アーム
２３Ａ，２３Ｂ，２３Ｃ  挟持片
２５，２６，２７  筒体
２５Ａ，２６Ａ，２７Ａ  下端面
２８，２９，３０  弾性リング
【図１】
2010162205.tif 000003
【図２】
2010162205.tif 000004
【図３】
2010162205.tif 000005
【図４】
2010162205.tif 000006
【図５】
2010162205.tif 000007
【図６】
2010162205.tif 000008
【図７】
2010162205.tif 000009
【図８】
2010162205.tif 000010
【図９】
2010162205.tif 000011
【図１０】
2010162205.tif 000012
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
脱いだブーツを立てた状態で保持するブーツスタンドであって、
ブーツ底が載せられる下側のブーツ受けである支持ベースと、
該支持ベースに下端が固定された管状の下側支柱と、
該下側支柱に外嵌する、ブーツの左右の履き口を挟持する挟持片を有する挟持体が固定された筒体と、
該筒体の下端面を当止するように前記下側支柱に外嵌された弾性リングと、
前記挟持体の上側で前記下側支柱に外嵌する、ブーツ底が載せられる上側のブーツ受けが固定された筒体と、
該筒体の下端面を当止するように前記下側支柱に外嵌された弾性リングと、
前記下側支柱に下部が内挿されるとともに、ブーツの左右の履き口を挟持する挟持片を有する挟持体が固定された、上端に摘みが取り付けられた上側支柱と、
前記下側支柱の上端面により当止される、前記上側支柱に外嵌された弾性リングと、
を備えたことを特徴とするブーツスタンド。
【手続補正２】
【補正対象書類名】明細書
【補正対象項目名】０００７
【補正方法】変更
【補正の内容】
【０００７】
本発明に係るブーツスタンドは、前記課題解決のために、脱いだブーツを立てた状態で保持するブーツスタンドであって、ブーツ底が載せられる下側のブーツ受けである支持ベースと、該支持ベースに下端が固定された管状の下側支柱と、該下側支柱に外嵌する、ブーツの左右の履き口を挟持する挟持片を有する挟持体が固定された筒体と、該筒体の下端面を当止するように前記下側支柱に外嵌された弾性リングと、前記挟持体の上側で前記下側支柱に外嵌する、ブーツ底が載せられる上側のブーツ受けが固定された筒体と、該筒体の下端面を当止するように前記下側支柱に外嵌された弾性リングと、前記下側支柱に下部が内挿されるとともに、ブーツの左右の履き口を挟持する挟持片を有する挟持体が固定された、上端に摘みが取り付けられた上側支柱と、前記下側支柱の上端面により当止される、前記上側支柱に外嵌された弾性リングとを備えたものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明に係るブーツスタンドによれば、１本のスタンド支柱である下側支柱及び上側支柱に固定された下側のブーツ受け及び上側のブーツ受け上に２個のブーツをそれぞれ立てた状態で、これらブーツの履き口が挟持体の挟持片により挟持されることから、これらブーツを立てた状態が保持されるため、脱いだブーツの型崩れや皺の発生を防止することができるとともに、２個のブーツを上下２段に保持することができるため、２個のブーツを保持しながら、ブーツスタンドが専有する床面積が増大することがない。
【手続補正７】
【補正対象書類名】明細書
【補正対象項目名】００１２
【補正方法】変更
【補正の内容】
【００１２】
その上、上側のブーツ受け及びこのブーツ受けに対応する挟持体の両方の位置を変更可能であるため、下側のブーツの履き口の高さに合わせて調整された最下段の挟持体に対して、上側のブーツ受けの位置をなるべく低い位置に変更し、上側のブーツ受けに対して、保持するブーツの履き口の高さに合わせて挟持体の位置を変更して上側のブーツを保持することができることから、上下２段に保持されたブーツの間隔を小さくすることができるため、ブーツスタンドが設置される床面積のみならず、その高さ方向のスペースも有効活用することができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
その上さらに、弾性リングはそれを外嵌した支柱に対して極めて容易に移動させることができるため、このような容易に行うことができる操作により弾性リングを所要位置まで移動させることにより、保持するブーツの履き口の高さに合わせて挟持片（挟持体）を移動させる調整作業を容易に行うことができる。